(57)【要約】【課題】球貸ボタンと返却ボタンとの誤操作を、一層確実に防止できるパチンコ遊技機を提供すること。【解決手段】パチンコ遊技機は、押下操作時に遊技球を貸出す球貸ボタン３７と、押下操作時に球貸用データを記録した記録媒体を返却する返却ボタン４８とを備える。球貸ボタン３７の操作時に押下する球貸押下部３８と、返却ボタン４８の操作時に押下する返却押下部４９とは、操作パネル部２２に露出して配置される。返却押下部４９が、押下方向で見る輪郭として、外周縁から中央側へ凹む凹部５０を設けて形成され、球貸押下部３８が、押下方向で見る輪郭として、外周縁から中央側へ凹む凹部を設けずに形成される。返却押下部４９の凹部５０は、押下操作時の指Ｆと接触可能な位置に、凹部５０の凹んだ谷部５１を配置させるように、返却押下部４９の外周縁５２ｂから凹んで形成されている。【選択図】図５
2012176204.tif 000002
【特許請求の範囲】
【請求項１】
押下操作時に遊技球を貸出す球貸ボタンと、押下操作時に球貸用データを記録した記録媒体を返却する返却ボタンとを備えたパチンコ遊技機において、
前記球貸ボタンの操作時に押下する球貸押下部と、前記返却ボタンの操作時に押下する返却押下部とが、操作パネル部に露出して配置され、
前記返却押下部若しくは前記球貸押下部の一方が、押下方向で見る輪郭として、外周縁から中央側へ凹む凹部を設けて形成され、
前記返却押下部若しくは前記球貸押下部の他方が、押下方向で見る輪郭として、外周縁から中央側へ凹む凹部を設けずに形成され、
前記返却押下部若しくは前記球貸押下部の一方の前記凹部が、押下操作時の指と接触可能な位置に、前記凹部の凹んだ谷部を配置させるように、前記返却押下部若しくは前記球貸押下部の一方の外周縁から凹んで形成されていることを特徴とするパチンコ遊技機。
【請求項２】
前記凹部を設けた前記返却押下部若しくは前記球貸押下部の一方が、押下方向で見る輪郭の中央を中心として、複数の凹部を放射状に均等に配置させて、形成されていることを特徴とする請求項１に記載のパチンコ遊技機。
【請求項３】
前記凹部を設けた前記返却押下部若しくは前記球貸押下部の一方が、押下方向で見る輪郭として、外周縁から中央側へ凹む凹部を四つ設けて×形状に形成され、
前記凹部を設けない前記返却押下部若しくは前記球貸押下部の他方が、押下方向で見る輪郭として、○形状に形成されていることを特徴とする請求項１若しくは請求項２に記載のパチンコ遊技機。
【請求項４】
前記凹部を設けた前記返却押下部若しくは前記球貸押下部の一方が、平板状に形成され、
前記凹部を設けない前記返却押下部若しくは前記球貸押下部の他方が、中央を突出させた略半球状に形成されていることを特徴とする請求項３に記載のパチンコ遊技機。
【請求項５】
前記返却押下部が、前記凹部を設けて形成され、
前記球貸押下部が、前記凹部を設けずに形成されていることを特徴とする請求項１乃至請求項４のいずれか１項に記載のパチンコ遊技機。
【請求項６】
貸出された遊技球を貯留する球受け皿部が、前方へ突出するように、前枠の下部側に配設され、
前記操作パネル部が、前記操作パネル部の上面側の表側板部から前記球貸押下部と前記返却押下部とを上方へ突出させて、前記球受け皿部の上面側に、配設され、
前記球貸押下部が、前記返却押下部より前方側に配置されるとともに、前記返却押下部より高く前記表側板部から突出するように、配設され、
前記球受け皿部が、前記操作パネルの前側の周囲に、前記表側板部より高く上方へ隆起する隆起部を、配設させていることを特徴とする請求項５に記載のパチンコ遊技機。
【発明の詳細な説明】
【技術分野】
【０００１】
本発明は、押下操作時に遊技球を貸出す球貸ボタンと、押下操作時に球貸用データを記録した記録媒体を返却する返却ボタンとを備えたパチンコ遊技機に関する。
【背景技術】
【０００２】
従来、パチンコ遊技機では、押下操作時に遊技球を貸出す球貸ボタンと、押下操作時に球貸用データを記録した記録媒体を返却する返却ボタンとを備えて構成されていた。これら二つの球貸ボタンと返却ボタンとは、相互に逆の操作に行うことから、誤操作を防止するために、一瞥して判別し易いよう、周囲に操作時の動作を図示して、注意を喚起するものがあった（例えば、特許文献１参照）。
【０００３】
また、他のパチンコ遊技機では、球貸ボタンと返却ボタンとの誤操作を防止できるように、球貸ボタンと返却ボタンとの押下方向で見る輪郭（押下方向で見る投影形状若しくは外形形状）を、相互に変えたものもあった（例えば、特許文献２参照）。
【先行技術文献】
【特許文献】
【０００４】
【特許文献１】特開２００２−２２４３０９号公報
【特許文献２】特開２０００−３３４１３６号公報
【発明の概要】
【発明が解決しようとする課題】
【０００５】
しかし、特許文献１に記載のパチンコ遊技機では、球貸ボタンと返却ボタンとが、共に、押下操作する部位を、押下方向で見る輪郭として同じ大ききの円形状としており、それらの部位に指を接触させても、同じ感触であり、誤操作を防止する点で改善の余地があった。
【０００６】
同様に、特許文献２に記載のパチンコ遊技機でも、押下方向で見る輪郭として、球貸ボタンが円形とし、返却ボタンが楕円形として、相互に僅かな形状の差であることから、誤操作を防止する点で改善の余地があった。
【０００７】
本発明は、上述の課題を解決するものであり、球貸ボタンと返却ボタンとの誤操作を、一層確実に防止できるパチンコ遊技機を提供することを目的とする。
【課題を解決するための手段】
【０００８】
＜請求項１の説明＞
本発明に係るパチンコ遊技機は、代表的な図符号を併記して記載すれば、押下操作時に遊技球を貸出す球貸ボタン３７と、押下操作時に球貸用データを記録した記録媒体を返却する返却ボタン４８とを備えたパチンコ遊技機Ｐ０において、
球貸ボタン３７の操作時に押下する球貸押下部３８と、返却ボタン４８の操作時に押下する返却押下部４９とが、操作パネル部２２に露出して配置され、
返却押下部４９若しくは球貸押下部３８の一方が、押下方向で見る輪郭として、外周縁から中央側へ凹む凹部５０を設けて形成され、
返却押下部４９若しくは球貸押下部３８の他方が、押下方向で見る輪郭として、外周縁から中央側へ凹む凹部を設けずに形成され、
返却押下部４９若しくは球貸押下部３８の一方の凹部５０が、押下操作時の指Ｆと接触可能な位置に、凹部５０の凹んだ谷部５１を配置させるように、返却押下部４９若しくは球貸押下部３８の一方の外周縁から凹んで形成されていることを特徴とする。
【０００９】
本発明に係るパチンコ遊技機では、例えば、球貸押下部が、押下方向で見る輪郭（押下方向で見る投影形状若しくは外形形状）として、外周縁から中央側へ凹む凹部を設けずに形成され、一方、返却押下部が、押下方向で見る輪郭として、外周縁から中央側へ凹む凹部を設けて形成され、かつ、その凹部が、押下操作時の指と接触可能な位置に、凹んだ谷部位を配置させるように、形成されている。そのため、球貸押下部と返却押下部とは、一瞥しただけでなく、触れば、直ちに、相違を認識できる。
【００１０】
すなわち、押圧時の指が、返却押下部に触れれば、凹部の凹んだ縁の中央側の谷部と、その谷部から二又状に外周縁に延びる二つの横縁部とを容易に認識できる。逆に、球貸押下部では、返却押下部のような凹んだ谷部位が無く、膨らんだような外周縁であって、押圧時の指が触れれば、返却押下部でないことが直ちに認識できる。
【００１１】
なお、球貸用データを記録した記録媒体とは、プリペイドカード等であり、また、球貸用データとは、投入した金銭の残額や貯球した遊技球の数等である。
【００１２】
勿論、上記の説明とは逆に、球貸押下部が、凹部を備えて形成され、返却押下部が、凹部を設けずに形成されていてもよい。
【００１３】
＜請求項２の説明＞
そして、本発明のパチンコ遊技機では、代表的な図符号を併記して記載すれば、凹部５０を設けた返却押下部４９若しくは球貸押下部３８の一方は、押下方向で見る輪郭の中央を中心として、複数の凹部５０を放射状に均等に配置させて形成することが望ましい。
【００１４】
このような構成では、例えば、返却押下部が凹部を備えていれば、その返却押下部に触れれば、複数の凹部における谷部の感触を得られることから、球貸押下部との相違を明確に認識できて、一層、球貸ボタンと返却ボタンとの誤操作を確実に防止できる。
【００１５】
さらに、このような構成では、返却押下部の凹部が、中央を中心として、放射状に均等に配置されており、押下操作時の指が、返却押下部の中央からずれて、返却押下部に触れても、確実に、何れかの凹部の谷部位に触れることができて、安定して、球貸押下部との相違を認識できる。
【００１６】
勿論、上記の説明とは逆に、球貸押下部が、凹部を備えて形成され、返却押下部が、凹部を設けずに形成されていてもよい。
【００１７】
＜請求項３の説明＞
また、本発明に係るパチンコ遊技機では、代表的な図符号を併記して記載すれば、凹部５０を設けた返却押下部４９若しくは球貸押下部３８の一方は、押下方向で見る輪郭として、外周縁から中央側へ凹む凹部５０を四つ設けて×形状に形成し、
凹部を設けない返却押下部若しくは球貸押下部の他方は、押下方向で見る輪郭として、○形状に形成することが望ましい。
【００１８】
このような構成では、例えば、返却押下部が、四つの凹部を備えて形成されていれば、一層、○形状の外周縁とした球貸押下部との感触の差を明確に認識でき、さらに、一瞥しても、直ちに、明確に相違を認識できる。
【００１９】
勿論、上記の説明とは逆に、球貸押下部が、凹部を備えて形成され、返却押下部が、凹部を設けずに形成されていてもよい。
【００２０】
＜請求項４の説明＞
凹部を設けた返却押下部若しくは球貸押下部の一方を×形状とし、他方を○形状とする場合、凹部を設けた返却押下部若しくは球貸押下部の一方は、平板状に形成し、他方は、中央を突出させた略半球状に形成してもよい。
【００２１】
このような構成では、例えば、球貸押下部が凹部を設けずに形成されていれば、その球貸押下部は、平板状の返却押下部と相違して、三次元的に略半球状に突出しており、返却押下部との差を、一瞥しても、あるいは、触れても、一層、明瞭に区別できる。
【００２２】
勿論、上記の説明とは逆に、球貸押下部が、凹部を備えて形成され、返却押下部が、凹部を設けずに形成されていてもよい。
【００２３】
＜請求項５の説明＞
但し、望ましくは、返却押下部は、凹部を設けて形成し、球貸押下部は、凹部を設けずに形成することが望ましい。
【００２４】
すなわち、遊技を始める際には、例えば、球貸用データを記録した記録媒体をパチンコ遊技機に投入し、球貸押下部を押下操作して、遊技球の払出を受けて遊技を行い、逆に、遊技を止める際には、返却押下部を押下操作して、球貸用データを記録した記録媒体を返却させる。その際、通常、遊技を止める操作は、一回であるが、一回分の遊技球の払い出しで遊技を終了することは、稀であり、遊技者は、複数回分、遊技球の払出を行う。そして、球貸押下部を押下操作しようとした際、凹部の感触があれば、前回の払出時の触感と異質となって、凹部を有した返却押下部に触れたと直ちに認識でき、球貸押下部と返却押下部との誤操作を的確に防止できる。
【００２５】
そしてさらに、球貸押下部の押下方向で見る輪郭を○形状とし、返却押下部の押下方向で見る輪郭を×形状とする場合、×形状は、例えば、車両の通行止めの交通標識にもあるように、止めるイメージを想起させるものであり、その操作時に押下操作する部位が、×形状であれば、遊技を止める際の動作を、直感的に、認識できる。そして逆に、○形状は、×形状と逆のイメージをきわめて容易に想起させるものであり、一瞥して、返却押下部と逆の動作として、遊技の開始を想起できる。その結果、×形状の返却押下部と○形状の球貸押下部との組み合わせでは、両者の感触の差を明確に認識できることは勿論のこと、一瞥しても、直感的かつ迅速に、相違を認識できる。
【００２６】
＜請求項６の説明＞
さらに、本発明に係るパチンコ遊技機では、代表的な図符号を併記して記載すれば、貸出された遊技球を貯留する球受け皿部６を、前方へ突出するように、前枠４の下部側に配設し、
操作パネル部２２を、操作パネル部２２の上面側の表側板部２５から球貸押下部３８と返却押下部４９とを上方へ突出させて、球受け皿部６の上面側に、配設し、
球貸押下部３８を、返却押下部４９より前方側に配置させるとともに、返却押下部４９より高く表側板部２５から突出するように、配設し、
球受け皿部６には、操作パネル部２２の前側の周囲に、表側板部２５より高く上方へ隆起する隆起部２１ａを、配設することが望ましい。
【００２７】
このような構成では、球貸押下部が、返却押下部より遊技者に近い前方に配置され、かつ、返却押下部より上方へ高く突出していることから、遊技を続行するために球貸押下部を押下操作しようとする際、誤って、返却押下部を押下し難く、記録媒体（プリペイドカード等）を返却させないことから、円滑に遊技を続行できる。
【００２８】
さらに、この押下操作時、操作パネル部の前側には、球受け皿部の隆起部が、操作パネル部を囲うように配設されているため、押下操作する時の指を、隆起部を超えるように高い位置に配置させ、そして、球貸押下部を押下することとなる。すなわち、球貸押下部が、隆起部と同様に、操作パネル部の表側板部から高く突出しているため、一層、遊技者は、違和感無く、返却押下部と間違えずに、球貸押下部を押下操作できる。
【発明の効果】
【００２９】
本発明に係るパチンコ遊技機では、一瞥しただけでなく、触っただけでも、球貸ボタンと返却ボタンとの相違を直ちに認識できて、球貸ボタンと返却ボタンとの誤操作を、一層確実に防止することができる。
【図面の簡単な説明】
【００３０】
【図１】本発明の一実施形態のパチンコ遊技機の正面図である。
【図２】実施形態のパチンコ遊技機の前枠の斜視図である。
【図３】実施形態のパチンコ遊技機の球受け皿部の拡大斜視図である。
【図４】実施形態のパチンコ遊技機の球受け皿部の拡大平面図である。
【図５】実施形態のパチンコ遊技機における操作パネル部を示す拡大平面図である。
【図６】図５のVI−VI部位の概略縦断面図である。
【図７】図５のVII−VII部位の概略縦断面図である。
【図８】実施形態の操作パネル部を構成する球貸ボタン、返却ボタン、表側部材、及び、規制部材の斜視図である。
【図９】実施形態のパチンコ遊技機の電気系統のブロック図である。
【図１０】返却押下部の変形例を示す斜視図と平面図である。
【図１１】返却押下部の他の変形例を示す斜視図と平面図である。
【図１２】返却押下部のさらに他の変形例を示す斜視図と平面図である。
【図１３】球貸押下部の変形例を示す斜視図と平面図である。
【図１４】球貸押下部の他の変形例を示す斜視図と平面図である。
【図１５】球貸押下部のさらに他の変形例を示す斜視図と平面図である。
【発明を実施するための形態】
【００３１】
＜実施形態のパチンコ遊技機の概略説明＞
以下、本発明の一実施形態を図面に基づいて説明すると、実施形態のパチンコ遊技機Ｐ０は、図１に示すように、内部の払出装置を利用して遊技球の貸し出しを行うＣＲ機であり、遊技機本体Ｐ１と球貸ユニットＰ２とを備えてなる。球貸ユニットＰ２は、「サンド」と称されるカードユニット６５であり、球貸用データを記録した記録媒体として、プリペイドカードを利用するものである。カードユニット６５は、前面にプリペイドカードを挿入させるカード挿入口６７を備え、また、プリペイドカードの残金や貯球等のデータの読み出しと書き込みを行うカードリーダライタ６８（図９参照）を内蔵している。
【００３２】
遊技機本体Ｐ１は、図１に示すように、遊技機枠１に保持される遊技盤７０を備え、遊技盤７０には、遊技球が流下する遊技領域７１が、レール７７で囲まれて形成されている。遊技機枠１は、外枠２と、遊技盤７０を保持する内枠３と、遊技盤７０の前方のガラス扉部５を有した前枠４とを備えてなる。前枠４は、図２に示すように、上部側のガラス扉部５と下方の球受け皿部６とを備えてなり、球受け皿部６は、前枠４の下部側で前方に突出するように配設されている。球受け皿部６の下部には、遊技球を遊技領域７１に発射するためのハンドル１０が設けられている。球受け皿部６の下部中央には、皿球抜きボタン６３が設けられている。
【００３３】
前枠４には、球受け皿部６の左右両側からガラス扉部５の外周を囲むように、飾り縁部８が設けられている。飾り縁部８は、球受け皿部６の表面側の装飾カバー部７から延びるように配設されている。飾り縁部８の部位には、スピーカ１１や枠ランプ１２が設けられている。
【００３４】
球受け皿部６は、図１〜４に示すように、払い出された遊技球を受けて貯める球貯留凹部１５と、球貯留凹部１５の前側周縁を囲う上棚部１６とを備えてなる。上棚部１６には、左右方向の中央付近に演出ボタン１７が配設され、左側に決定ボタン付き十字キー１８が配設されている。上棚部１６の右側上面には、操作パネル部２２が配設されている。操作パネル部２２は、装飾カバー部７に設けられた収納凹部２０から露出するように、配設されている。この操作パネル部２２には、球貸ボタン３７、返却ボタン４８、カード残高表示器５９、及び、通路球抜きボタン６１が配設されている。
【００３５】
＜実施形態のパチンコ遊技機の遊技盤の説明＞
遊技盤７０の遊技領域７１には、図示しない障害釘が多数突設されている。遊技領域７１の中央部には、図１に示すように、液晶表示装置からなる画像表示装置７２の表示画面７２ａが配置されている。表示画面７２ａの下側周囲には、始動入賞装置７３が設けられている。始動入賞装置７３は、表示画面７２ａの下方の始動入賞口７３ａと、表示画面７２ａの右下側の可変始動入賞口７３ｂとを備える。可変始動入賞口７３ｂは、始動口ソレノイド７３ｄ（図９参照）により開閉して、開口した際に入賞し易くする開閉爪７３ｃを備える。
【００３６】
表示画面７２ａの右下方には、大入賞装置７４が設けられている。大入賞装置７４は、大入賞口ソレノイド７４ｃ（図９参照）により開閉する開閉扉７４ｂを備えて、開閉扉７４ｂが開放状態のときに遊技球を受け入れ可能とされ、大入賞装置７４に受け入れられた遊技球は、大入賞装置７４内の大入賞口７４ａに入賞する。
【００３７】
また、遊技領域７１には、複数の普通入賞装置７６が設けられ、各普通入賞装置７６に受け入れられた遊技球は、その普通入賞装置７６内の普通入賞口７６ａに入賞する。
【００３８】
遊技盤７０には、遊技領域７１の下端に、アウト口７８が設けられ、遊技領域７１の外側下部に、普通図柄表示器７９及び第１，２特別図柄表示器８１，８２が設けられるとともに、普通図柄保留ランプ８０、第１，２特別図柄保留ランプ８３，８４がそれぞれ所定数ずつ設けられている。
【００３９】
遊技領域７１の右側には、遊技球を通過可能なゲート７５が設けられ、普通図柄表示器７９は、遊技球のゲート７５の通過を契機として行われる普通図柄抽選の結果に応じた普通図柄（実施形態では、当たりであれば○、外れであれば×）を、普通図柄の変動表示を経て確定表示するものであり、確定表示された普通図柄が当たり図柄であれば、開閉爪７３ｃを所定時間開いた状態とする補助遊技が行われる。
【００４０】
第１特別図柄表示器８１は、始動入賞口７３ａの入賞に対応し、第２特別図柄表示器８２は、可変始動入賞口７３ｂへの入賞に対応して、それぞれ、大当り抽選した結果の図柄を表示するものであり、実施形態の場合は、ＬＥＤからなる７セグの所定部位を点灯あるいは消灯して、表示する。そして、大当りであれば、大入賞装置７４の開閉扉７４ｂを所定回数開放させる。
【００４１】
普通図柄保留ランプ８０、第１，２特別図柄保留ランプ８３，８４は、それぞれ、ゲート７５を通過したり、入賞口７３ａ，７３ｂに入賞した遊技球を、４個を上限として保留したそれらの保留数を表示するように、点灯される。
【００４２】
また、遊技盤７０には、演出効果を高めるように盤ランプ８５が配設されている。
【００４３】
＜実施形態のパチンコ遊技機の電気系統の説明＞
実施形態のパチンコ遊技機Ｐ０は、図９に示すように、メイン制御基板９０、サブ制御基板９１、払出制御基板９５、発射制御基板９７、カード中継基板１０３、及び、カードユニット６５を備える。サブ制御基板９１は、演出制御基板９２、画像制御基板９３、及び、ランプ制御基板９４を備える。演出制御基板９２、払出制御基板９５、及び、カード中継基板１０３は、メイン制御基板９０に接続されている。画像制御基板９３やランプ制御基板９４は、演出制御基板９２に接続されている。各制御基板は、ＣＰＵ、ＲＯＭ、ＲＡＭ等を備え、さらに、演出制御基板９２は継続して日時を計測するＲＴＣ（リアルタイムクロック）を備えている。
【００４４】
メイン制御基板９０は、遊技球が始動入賞口７３ａ，７３ｂに入賞した際の大当たりの抽選、あるいは、遊技球がゲート７５を通過した際に補助遊技の抽選を行う抽選手段を備える。そして、メイン制御基板９０には、始動入賞口７３ａ，７３ｂに設けられて始動入賞口７３ａ，７３ｂに入賞した遊技球を検出する始動口ＳＷ（スイッチ）７３ｅ，７３ｆ、開閉爪７３ｃを開閉する始動口ソレノイド７３ｄ、ゲート７５に設けられてゲート７５を通過した遊技球を検出するゲートＳＷ７５ａ、大入賞装置７４に設けられて大入賞口７４ａに入賞した遊技球を検出する大入賞口ＳＷ７４ｄ、開閉扉７４ｂを開閉する大入賞口ソレノイド７４ｃ、各普通入賞装置７６に設けられてその普通入賞口７６ａに入賞した遊技球を検出する普通入賞口ＳＷ７６ｂ、普通図柄表示器７９、普通図柄保留ランプ８０、第１，２特別図柄表示器８１，８２、及び、第１，２特別図柄保留ランプ８３，８４がそれぞれ接続され、図９の矢印で示すように、各スイッチからはメイン制御基板９０に信号が入力され、各ソレノイドやランプにはメイン制御基板９０から信号が出力される。
【００４５】
演出制御基板９２は、メイン制御基板９０から受信した信号に従って、画像制御基板９３、ランプ制御基板９４に信号を送信する。画像制御基板９３には画像表示装置７２とスピーカ１１が接続され、画像制御基板９３は、演出制御基板９２から受信した信号に従って、画像表示装置７２の表示画面７２ａに画像を表示し、スピーカ１１から音声を出力する。ランプ制御基板９４には枠ランプ１２や盤ランプ８５が接続され、ランプ制御基板９４は、演出制御基板９２から受信した信号に従って、枠ランプ１２や盤ランプ８５を点灯・消灯する。また、演出制御基板９２には、演出ボタン１７の押下操作時に信号を出力する演出ボタンＳＷ８６が接続され、また、決定ボタン付き十字キー１８の押下操作時に信号を出力する十字キーＳＷ８７ａ，８７ｂ，８７ｃ，８７ｄや決定ボタンＳＷ８８が接続されている。
【００４６】
払出制御基板９５には、球払出装置（図示せず）を駆動する払出駆動モータ９６が接続され、払出制御基板９５は、メイン制御基板９０から受信した信号に従って払出駆動モータ９６を動作させ、遊技球の入賞に伴う賞球の払出や、球貸ボタン３７の押下操作時に伴う遊技球の貸出しを行う。
【００４７】
発射制御基板９７には、ハンドル１０に設けらたタッチセンサ９８、遊技球を打撃するハンマの打撃力を調整可能な発射ボリューム９９、遊技球の単発打ち用の発射停止ＳＷ１００、発射装置（図示せず）の遊技球を打撃するハンマの駆動用の発射ソレノイド１０１、及び、発射装置に遊技球を供給する球送り装置（図示せず）の球送りソレノイド１０２が接続されている。
【００４８】
カード中継基板１０３には、球貸ボタンＳＷ４６、返却ボタンＳＷ５７、カード残高表示器５９、カードユニット６５、メイン制御基板９０、及び、払出制御基板９５が接続されている。カード中継基板１０３は、球貸ボタンＳＷ４６及び返却ボタンＳＷ５７からの信号をカードユニット６５に中継し、カードユニット６５からの信号をメイン制御基板９０及び払出制御基板９５に中継する。払出制御基板９５は、カードユニット６５から受信した信号に従って、球払出装置内の払出駆動モータ９６を動作させ、遊技球の貸出を行う。
【００４９】
＜実施形態の操作パネル部の説明＞
操作パネル部２２は、実施形態の場合、ボタンユニット２３として構成されている。ボタンユニット２３は、図５〜８に示すように、表面側の表側部材２４、表側部材２４の下方の規制部材３０、規制部材３０の下方の取付用基板３５、球貸ボタン３７、返却ボタン４８、カード残高表示器５９、及び、通路球抜きボタン６１を備えてなる。
【００５０】
表側部材２４は、合成樹脂製として、装飾カバー部７の収納凹部２０から露出される平板状の表側板部２５と、表側板部２５の外周縁から下方に延びるリブ２６とを備えてなる。表側板部２５は、三つの挿通孔２５ａ，２５ｂ，２５ｃと、透明な表示窓部２５ｄとを備えてなる。挿通孔２５ａは、球貸ボタン３７の球貸押下部３８を下方から上方に向けて突出させるものであり、球貸押下部３８の押下方向で見る輪郭の円形に対応して、円形に開口されている。挿通孔２５ｂは、返却ボタン４８の返却押下部４９を下方から上方に向けて突出させるものであり、返却押下部４９の押下方向で見る輪郭の×形状に対応して、×形状に開口されている。挿通孔２５ｃは、通路球抜きボタン６１を下方から上方に向けて突出させるものである。表示窓部２５ｄは、カード残高表示器５９で表示された残高数を表示できるように、透明に形成されている。
【００５１】
なお、実施形態では、球貸押下部３８と返却押下部４９との押下方向は、表側部材２４の表側板部２５と直交して、上方から下向きの下方に向かう方向としている。
【００５２】
また、通路球抜きボタン６１は、図示しない発射装置に遊技球を送るための球送り装置への供給直前の遊技球を、球受け皿部６の下方に配置させた賞球箱に落下させるものであり、押下操作時、図示しないリンク機構を利用して、球送り装置への供給位置における床面のシャッタを、開口させる。
【００５３】
リブ２６は、規制部材３０の上板部３１に当接して、上板部３１と表側板部２５との距離を一定にする。このリブ２６により、球貸ボタン３７と返却ボタン４８との押圧ストロークが一定に確保される。すなわち、上板部３１と表側板部２５との間を、球貸ボタン３７と返却ボタン４８とのフランジ部４２，５３が移動でき、その間の距離分の移動量が、球貸ボタン３７や返却ボタン４８の押圧ストロークとなる。
【００５４】
また、表側部材２４は、表側板部２５の外周縁から下方に複数の取付用ボス２７を突設させている。各取付用ボス２７は、取付用基板３５にねじ２８止めされる。このねじ２８止め時、規制部材３０が、リブ２６に押えられて、表側部材２４とともに、取付用基板３５に取り付けられる。
【００５５】
規制部材３０は、合成樹脂製として、平板状の上板部３１と、上板部３１の外周縁から下方に延びるリブ３２とを備える。上板部３１は、四つの挿通孔３１ａ，３１ｂ，３１ｃ，３１ｄと、内側に凹むように外周縁に配置される複数の凹部３１ｅとを備える。挿通孔３１ａは、球貸ボタン３７の脚部４３を挿通させるものであり、脚部４３の押下方向に沿った上下動を案内可能に略円形に開口されている。挿通孔３１ｂは、返却ボタン４８の脚部５４を挿通させるものであり、脚部５４の押下方向に沿った上下動を案内可能に略円形に開口されている。挿通孔３１ｃは、通路球抜きボタン６１を挿通させるように開口されている。挿通孔３１ｄは、カード残高表示器５９を挿通させるように開口されている。
【００５６】
リブ３２は、表側部材２４の取付用基板３５へのねじ２８止め時、表側部材２４のリブ２６に押されて、取付用基板３５に当接される。複数の凹部３１ｅは、表側部材２４の取付用ボス２７を挿通させる部位である。
【００５７】
また、規制部材３０は、上板部３１から下方に突出する複数の位置決め用ボス３３を備え、各位置決め用ボス３３は、取付用基板３５の嵌合孔３５ｂに嵌合される。
【００５８】
取付用基板３５は、合成樹脂や金属板から形成され、ねじ２８を挿通させる取付孔３５ａと、位置決め用ボス３３を嵌合させる嵌合孔３５ｂとを備える。また、取付用基板３５は、球貸ボタン３７の直下に、球貸ボタン３７の押下操作時に、ON信号をカード中継基板１０３（図９参照）に出力する球貸ボタンＳＷ（スイッチ）４６を配設させ、返却ボタン４８の直下に、返却ボタン４８の押下操作時に、ON信号をカード中継基板１０３に出力する返却ボタンＳＷ５７を配設させている。この取付用基板３５は、図示しない複数の取付ブラケットを備え、これらの取付ブラケットを利用して、ボタンユニット２３を球受け皿部６内の所定位置に取り付けている。
【００５９】
球貸ボタン３７は、合成樹脂製として、押下操作する球貸押下部３８と、フランジ部４２と、脚部４３とを備えてなる。球貸押下部３８は、半球状の半球部３９を上端に配設させ、半球部３９の下方に円柱状の円柱部４０を配設させている。フランジ部４２は、円柱部４０の下端から円環状に突出している。
【００６０】
脚部４３は、円柱状として、フランジ部４２から下方に突出し、外周面に、回り止め用の突起４４を突設させている（図８参照）。この球貸ボタン３７は、球貸押下部３８の半球部３９を表側部材２４の挿通孔２５ａから上方に突出させ、突起４４付きの脚部４３を規制部材３０の挿通孔３１ａに摺動可能に嵌挿させている。
【００６１】
球貸ボタン３７は、押下操作前では、球貸ボタンＳＷ４６に内蔵されたばね手段により、フランジ部４２を表側板部２５の下面側に当接させ、押下操作時、フランジ部４２を上板部３１に当接させるように、上下動する。そして、押下操作時、球貸ボタンＳＷ４６がカード中継基板１０３にON信号を出力する。
【００６２】
なお、フランジ部４２の上面側の外周縁には、一部を切り欠いた略円環状の突条４２ａが突設されている。突条４２ａは、上面を表側板部２５の下面側における挿通孔２５ａの周縁に当接させて、押下操作前の球貸ボタン３７の姿勢を安定させている。
【００６３】
また、球貸ボタンＳＷ４６がカード中継基板１０３にON信号を出力すれば、カード中継基板１０３が払出制御基板９５（図９参照）に払出信号を出力し、プリペイドカードの残高内で、払出制御基板９５が払出駆動モータ９６を作動させて、所定数の遊技球を球受け皿部６に貸し出す。この時、プリペイドカードは、払い出された遊技球の数に対応して、カードリーダライタ６８により、残高が書き直され、また、カード残高表示器５９では、カード中継基板１０３の制御により、減じられた残高に対応する数値が表示される。
【００６４】
返却ボタン４８は、合成樹脂製として、押下操作する返却押下部４９と、フランジ部５３と、脚部５４とを備えてなる。返却押下部４９は、押下方向で見る輪郭を×形状とした平板状に形成されて、円板状のフランジ部５３の上面側に配設されている。この×形状は、返却押下部４９の中心Ｏ側に凹む凹部５０を四つ備え、凹部５０間に、中心Ｏから放射状に延びるように、長方形板状の外方延出部５２を配設させてなる。
【００６５】
返却押下部４９は、押下操作時の指Ｆが、中心Ｏ付近を押下した際、各凹部５０の谷部５１に接触可能な大きさに、形成されている。
【００６６】
なお、実施形態の場合、返却押下部４９における外方延出部５２，５２の突出端５２ａ相互の長さ寸法Ｌは、約１４ｍｍ、突出端５２ａの幅寸法Ｗは、約４ｍｍとしている。一方、球貸ボタン３７の球貸押下部３８の直径寸法Ｄは、約１２ｍｍとしている。
【００６７】
返却ボタン４８の脚部５４は、球貸ボタン３７と同様に、円柱状として、フランジ部５３から下方に突出し、外周面に、回り止め用の突起５５を突設させている（図８参照）。この返却ボタン５７は、返却押下部４９を表側部材２４の挿通孔２５ｂから上方に突出させ、突起５５付きの脚部５４を規制部材３０の挿通孔３１ｂに摺動可能に嵌挿させている。
【００６８】
返却ボタン４８は、押下操作前では、返却ボタンＳＷ５７に内蔵されたばね手段により、フランジ部５３を表側板部２５の下面側に当接させ、押下操作時、フランジ部５３を上板部３１に当接させるように、上下動する。そして、押下操作時、返却ボタンＳＷ５７がカード中継基板１０３にON信号を出力する。
【００６９】
なお、フランジ部５３の上面側の外周縁には、フランジ部４２と同様に、一部を切り欠いた略円環状の突条５３ａが突設されている。突条５３ａは、上面を表側板部２５の下面側における挿通孔２５ｂの周縁に当接させて、押下操作前の返却ボタン４８の姿勢を安定させている。
【００７０】
また、返却ボタンＳＷ５７がカード中継基板１０３にON信号を出力すれば、カード中継基板１０３がカードリーダライタ６８に返却信号を出力し、カードリーダライタ６８に内蔵された図示しない返却駆動モータを作動させ、挿入されていたプリペイドカードを、取出可能にカード挿入口６７から突出させる。この時、カード中継基板１０３は、プリペイドカードがカードユニット６５内に無い表示、例えば、「−−−」をカード残高表示器５９に表示させる。
【００７１】
そして、実施形態では、操作パネル部２２が、図５〜７に示すように、操作パネル部２２の上面側の表側板部２５から球貸押下部３８と返却押下部４９とを上方へ突出させて、球受け皿部６の上面側に配設されている。さらに、球貸押下部３８が、返却押下部４９より前方側に配置されるとともに、返却押下部４９より高く表側板部２５の上面２４ａから突出するように、配設されている。さらに、実施形態の場合、球貸押下部３８は、返却押下部４９の左側にずれた前方側に、配置されている。
【００７２】
また、実施形態の場合、装飾カバー部７における操作パネル部２２の周囲の外周縁２１が、操作パネル部２２の表側板部２５から上方へ隆起している。外周縁２１の内の表側板部２５の前方側が前縁側隆起部２１ａとし、後方側が後縁側隆起部２１ｃとしている。そして、球貸押下部３８と返却押下部４９の前方の前縁側隆起部２１ａの左右方向に延びる峰部２１ｂが、返却押下部４９より高く突出し、球貸押下部３８の上端３９ａと同等の高さまで突出している。詳しくは、球貸押下部３８の前方の峰部２１ｂ１では、球貸押下部３８より若干低く、返却押下部４９の前方の峰部２１ｂ２では、球貸押下部３８より若干高い。
【００７３】
すなわち、実施形態では、表側板部２５からの高さ寸法に関し、球貸押下部３８の高さ寸法Ｈ１≒峰部２１ｂの高さ寸法Ｈ０＞返却押下部４９の高さ寸法Ｈ２としている。
【００７４】
＜実施形態の操作パネル部の作用・効果＞
１．
実施形態のパチンコ遊技機Ｐ０では、図５に示すように、球貸押下部３８が、押下方向で見る輪郭として、外周縁から中央側へ凹む凹部を設けずに形成され、一方、返却押下部４９が、押下方向で見る輪郭として、外周縁（突出端５２ａの先端縁５２ｂ）から中央側へ凹む凹部５０を設けて形成され、かつ、その凹部５０が、押下操作時の指Ｆと接触可能な位置に、凹んだ谷部５１を配置させるように、形成されている。そのため、球貸押下部３８と返却押下部４９とは、一瞥しただけでなく、触れば、直ちに、相違を認識できる。
【００７５】
すなわち、押圧時の指Ｆが、返却押下部４９に触れれば、凹部５０の凹んだ縁の中央側の谷部５１と、その谷部５１から二又状に外周縁（先端縁５２ｂ）に延びる二つの横縁部５２ｃとを容易に認識できる。逆に、球貸押下部３８では、返却押下部４９のような凹んだ谷部位が無く、膨らんだような外周縁であって、押圧時の指Ｆが触れれば、返却押下部４９でないことが直ちに認識できる。
【００７６】
したがって、実施形態のパチンコ遊技機Ｐ０では、一瞥しただけでなく、触っただけでも、球貸ボタン３７と返却ボタン４８との相違を直ちに認識できて、球貸ボタン３７と返却ボタン４８との誤操作を、一層確実に防止することができる。
【００７７】
２．
そして、実施形態のパチンコ遊技機Ｐ０では、返却押下部４９を、押下方向で見る輪郭の中央を中心Ｏとして複数の凹部５０を放射状に均等に配置させている。
【００７８】
そのため、実施形態では、返却押下部４９に触れれば、複数の凹部５０における谷部５１の感触を得られることから、球貸押下部３８との相違を明確に認識できて、一層、球貸ボタン３７と返却ボタン４８との誤操作を確実に防止できる。
【００７９】
さらに、このような構成では、返却押下部４９の凹部５０が、中央を中心Ｏとして、放射状に均等に配置されており、押下操作時の指Ｆが、返却押下部の中央（中心）Ｏからずえて、返却押下部４９に触れても、確実に、何れかの凹部５０の谷部５１に触れることができて、安定して、球貸押下部３８との相違を認識できる。
【００８０】
３．
さらに、実施形態のパチンコ遊技機Ｐ０では、返却押下部４９が、押下方向で見る輪郭として、外周縁５２ｂから中央側へ凹む凹部５０を四つ設けて×形状に形成され、球貸押下部３８が、押下方向で見る輪郭として、○形状に形成されている。
【００８１】
このような構成では、返却押下部４９が、四つの凹部５０を備えて形成されて、一層、○形状の外周縁とした球貸押下部３８との感触の差を明確に認識でき、さらに、一瞥しても、直ちに、明確に相違を認識できる。
【００８２】
なお、遊技を始める際には、例えば、球貸用データを記録した記録媒体としてのプリペイドカードをカード挿入口６７に投入し、球貸押下部３８を押下操作して、遊技球の払出を受けて遊技を行い、逆に、遊技を止める際には、返却押下部４９を押下操作して、プリペイドカードを返却させる。この時、×形状は、例えば、車両の通行止めの交通標識にもあるように、止めるイメージを想起させるものであり、その操作時に押下操作する部位が、×形状であれば、遊技を止める際の動作を、直感的に、認識できる。そして逆に、○形状は、×形状と逆のイメージをきわめて容易に想起させるものであり、一瞥して、返却押下部４９と逆の動作として、遊技の開始を想起できる。その結果、×形状と○形状とを組み合わせた構成では、返却押下部４９と球貸押下部３８との感触の差を明確に認識できることは勿論のこと、一瞥しても、直感的かつ迅速に、相違を認識できる。
【００８３】
４．
さらに、実施形態では、返却押下部４９の押下方向で見る輪郭を×形状とし、球貸押下部３８の押下方向で見る輪郭を○形状として、返却押下部４９が、平板状に形成され、球貸押下部３８が、中央を突出させた略半球状に形成されている。
【００８４】
そのため、このような構成では、球貸押下部３８が、平板状の返却押下部４９と相違して、三次元的に略半球状に突出しており、返却押下部４９との差を、一瞥しても、あるいは、触れても、一層、明瞭に区別できる。
【００８５】
５．
さらに、実施形態では、貸出された遊技球を貯留する球受け皿部６が、図３に示すように、前方へ突出するように、前枠４の下部側に配設されている。また、操作パネル部２２が、図５〜７に示すように、操作パネル部２２の上面側の表側板部２５から球貸押下部３８と返却押下部４９とを上方へ突出させて、球受け皿部６の上面側に、配設されている。さらに、球貸押下部３８が、返却押下部４９より前方側に配置されるとともに、返却押下部４９より高く表側板部２５から突出するように、配設されている。そして、球受け皿部６には、操作パネル部２２の前側の周囲に、表側板部２５より高く上方へ隆起する隆起部２１ａが、配設されている。
【００８６】
このような構成では、球貸押下部３８が、返却押下部４９より遊技者に近い前方に配置され、かつ、返却押下部４９より上方へ高く突出していることから、遊技を続行するために球貸押下部３８を押下操作しようとする際、誤って、返却押下部４９を押下し難く、プリペイドカードを返却させないことから、円滑に遊技を続行できる。
【００８７】
さらに、この押下操作時、操作パネル部２２の前側には、球受け皿部６の隆起部２１ａの峰部２１ｂが、操作パネル部２２を囲うように配設されているため、押下操作する時の指Ｆを、前縁側隆起部２１ａの峰部２１ｂを超えるように高い位置に配置させ、そして、球貸押下部３８を押下することとなる。すなわち、球貸押下部３８が、峰部２１ｂと同様に、操作パネル部２２の表側板部２５から高く突出しているため、一層、遊技者は、違和感無く、返却押下部４９と間違えずに、球貸押下部３８を押下操作できる。
【００８８】
６．
さらに述べれば、実施形態では、球貸押下部３８が、返却押下部４９の左側にずれた前方側に配置されており、ハンドル１０を操作している右手の逆の左手で押下操作する際、球貸押下部３８が、返却押下部４９より、左手に近い位置にあり、遊技者は、一層、返却押下部４９と間違えずに、球貸押下部３８を押下操作できる。
【００８９】
７．
また、実施形態では、返却ボタン４８が、図７に示すように、返却押下部４９の下方の脚部５４を、規制部材３０の挿通孔３１ｂに摺動可能に挿通させている。そして、図８に示すように、脚部５４は、返却押下部４９の外方延出部５２の突出端５２ａ相互の長さ寸法Ｌと略等しい外径寸法Ｄ１として、大きな外径寸法としている。そのため、返却押下部４９の押下操作時、大きな円柱状の脚部５４が、挿通孔３１ｂの内周面を摺動して移動を案内されるため、傾き難く、返却押下部４９が、円滑に、平行移動して、返却ボタンＳＷ５７をONできる。
【００９０】
すなわち、中心Ｏからずれた外方延出部５２の突出端５２ａ側を押下しても、返却押下部４９が、円滑に平行移動して、返却ボタンＳＷ５７をONでき、返却ボタン４８の押下操作性が良好となる。
【００９１】
８．
さらに、実施形態では、図６，７に示すように、球貸ボタン３７と返却ボタン４８とが、操作時、フランジ部４２，５３を表側部材２４の表側板部２５と規制部材３０の上板部３１との間で、往復移動させている。これらのフランジ部４２，５３は、それぞれ、球貸押下部３８や返却押下部４９より、押下方向で見る輪郭を大きな略円板状として、操作時、表側板部２５や上板部３１に当接することなる。そのため、押下操作前や押下操作時、フランジ部４２，５３が、表側板部２５の下面や上板部３１の上面に当接して、球貸押下部３８や返却押下部４９が、傾かずに姿勢を安定できるため、操作前の意匠性や操作時の感触が良好となる。
【００９２】
＜変形例＞
実施形態では、返却押下部４９が、押下方向で見る輪郭として、四つの凹部５０を設けた×形状とした場合を示した。しかし、複数の凹部を押下方向で見る輪郭の中心Ｏから放射状に設ける場合には、図１０や図１１に示す返却ボタン４８Ａ，４８Ｂの返却押下部４９Ａ，４９Ｂのように、二つの凹部５０を設けたり、三つの凹部５０を設けたり、あるいは、凹部５０の谷部５１の触感を生じさせることができれば、凹部５０を五個以上設けてもよい。
【００９３】
そして、複数の凹部を設ける場合、複数の谷部５１の感触を同時に把握できれば、それらの凹部５０を、中心Ｏから放射状に配置しなくともよい。
【００９４】
さらに、押下操作時に谷部５１の触感を把握できれば、図１２に示す返却ボタン４８Ｃの返却押下部４９Ｃのように、凹部５０を一つとしてもよい。
【００９５】
また、実施形態では、球貸押下部３８が、押下方向で見る輪郭として、○形状とした場合を示した。しかし、球貸押下部が、押下方向で見る輪郭として、外周縁から中央側へ凹む凹部を設けずに形成されていれば、図１３〜１５に示す球貸ボタン３７Ａ，３７Ｂ，３７Ｃの球貸押下部３８Ａ，３８Ｂ，３８Ｃのように、押下方向で見る輪郭を正方形、三角形等の多角形や、あるいは、楕円形等にしてもよい。
【００９６】
さらに、球貸ボタン３７の球貸押下部３８としては、半球状等の曲面状に隆起しなくとも、図１３〜１５に示すように、平板状としてもよい。
【００９７】
勿論、実施形態の説明とは逆に、球貸押下部３８が、凹部５０を備えて形成され、返却押下部４９が、凹部を設けずに形成されていてもよい。
【００９８】
また、実施形態では、球貸ボタン３７と返却ボタン４８とを配設した操作パネル部２２を、球受け皿部６の上棚部１６に配設し、球貸押下部３８と返却押下部４９との押下操作時、表側板部２５と直交する上下方向に沿って上方から下向きに押下するように、球貸ボタン３７と返却ボタン４８とを配設した。しかし、球貸ボタン３７と返却ボタン４８とは、球受け皿部６の前面や前下がり・左下がり・右下がり等の傾斜面、あるいは、前枠４の左右両縁側、球受け皿部６の上方のガラス扉部５の下部前面等に、配設してもよい。すなわち、球貸ボタン３７と返却ボタン４８とは、球貸押下部３８と返却押下部４９との操作時の押下方向を、前後方向に沿って前方から後方に押下したり、斜め前上から斜め後下方向に押下したり、あるいは、斜め左方向から斜め右方向に押下したり、斜め右方向から斜め左方向に押下する等として、種々の押下方向で配設することができる。
【００９９】
そして、返却押下部若しくは球貸押下部の一方だけに設ける凹部は、返却押下部若しくは球貸押下部を押下方向で見る輪郭（換言すれば、押下方向に沿った上流側から下流側を見る方向の外形形状であり、上方から下方に押下するのであれば、操作パネル部を上方から見る平面図での外形の輪郭となり、前方から後ろ向きに押下するのであれば、操作パネル部を前方から見る正面図での外形の輪郭となる）の外周縁から、中央側に凹むように、形成すればよい。
【符号の説明】
【０１００】
４…前枠、
６…球受け皿部、
２１…外周縁、
２１ｂ…前縁側隆起部、
２２…操作パネル部、
３７，３７Ａ，３７Ｂ，３７Ｃ…球貸ボタン、
３８，３８Ａ，３８Ｂ，３８Ｃ…球貸押下部、
４８，４８Ａ，４８Ｂ，４８Ｃ…返却ボタン、
４９，４９Ａ，４９Ｂ，４９Ｃ…返却押下部、
Ｐ０…パチンコ遊技機。
【図１】
2012176204.tif 000003
【図２】
2012176204.tif 000004
【図３】
2012176204.tif 000005
【図４】
2012176204.tif 000006
【図５】
2012176204.tif 000007
【図６】
2012176204.tif 000008
【図７】
2012176204.tif 000009
【図８】
2012176204.tif 000010
【図９】
2012176204.tif 000011
【図１０】
2012176204.tif 000012
【図１１】
2012176204.tif 000013
【図１２】
2012176204.tif 000014
【図１３】
2012176204.tif 000015
【図１４】
2012176204.tif 000016
【図１５】
2012176204.tif 000017